(57)【特許請求の範囲】
【請求項１】
壁体の下端に周設する水切り材同士の連接部及び出隅部又は入隅部の裏面に配置されるバックアップ材において、
水切り材の裏面形状に添接されるバックアップ材本体の下端部に、前記水切り材の下端部を挟持する挿嵌溝を設けたことを特徴とする水切り材のバックアップ材。
【発明の詳細な説明】
【０００１】
【発明の属する技術分野】
本発明は、壁体の下端に周設する水切り材同士の連接部及び出隅部又は入隅部の裏面に配置されるバックアップ材であって、特に水切り材が浮き上がったり捲れ上がったりするのを防止するバックアップ材である。
【０００２】
【従来の技術】
従来より浴室の壁の下端に周設し、壁を伝って落ちる水滴の水切りを行うために水切り材が設けられている。この水切り材は躯体に取り付ける取付板の下部から斜め下方に延出する傾斜板と、その先端より下方に延出する水切りとしての前板とを一体に有している。そして該水切り材を施工する際の状態に応じて、長手方向に複数本連接して施工する場合がある。また出隅部や入隅部においては、水切り材の側端を４５°に切断し、該水切り材の切断面を突き合わせて施工している。その際、この突き合わせ部であり連接部や出隅部・入隅部の裏面に、内部に水が侵入するのを防止するためにバックアップ材が配置されている。このバックアップ材は水切り材の裏面形状に添接する表面形状であり、その表面の側部には、表面を伝って側部からバックアップ材の裏面に水が侵入するのを防止する弾性体からなる防水材が貼着されている。
【０００３】
【発明が解決しようとする課題】
しかし、このような連接部や出隅部・入隅部では、２つの水切り材の側端面を突き合わせるのでその側部が捲れ上がりやすく、なおかつ防水材が貼着されているので、その厚みで水切り材が浮き上がり隣接する水切り材間に段差が生じるために見栄えが悪く、更には水切り材とバックアップ材との間に隙間が生じ、その隙間から水が侵入し、躯体内が腐朽してしまうという問題があった。
【０００４】
したがって本発明は、水切り材同士間に段差が生じたり、更には捲れ上がるのを防止するバックアップ材を提供することにある。
【０００５】
【課題を解決するための手段】
上記課題を解決するため、本発明の水切り用バックアップ材によれば、壁体の下端に周設する水切り材同士の連接部及び出隅部又は入隅部の裏面に配置されてなり、水切り材の裏面形状に添接されるバックアップ材本体の下端部に、前記水切り材の下端部を挟持する挿嵌溝を設けたことを特徴としている。
【０００６】
これにより、水切り材の下端部をバックアップ材が挟持しているので、水切り材が浮き上がり、段差が生じたり捲れ上がるのを防止することができる。
【０００７】
【発明の実施の形態】
本発明の水切り材用バックアップ材１の第１の実施の形態を図１及び図２を参照して以下に説明する。
【０００８】
水切り材用バックアップ材１は、取付板２の下部から斜め下方に延出する傾斜板３（本実施例では、２段階の段下がりとしている。）と、その先端より下方に延出する前板４とを一体に形成してなるように後術する水切り材１１の裏面形状と同一形状であって、さらにこのバックアップ材の前板４の先端から上方に開口するように断面Ｌ字型の挿嵌溝５を有している。またさらにこの側部に、表面を伝って側部からバックアップ材の裏面に水が侵入するのを防止する防水材６が貼着されている。
【０００９】
このような形態を構成するには、塩化ビニル樹脂、ポリプロピレン樹脂、アクリロニトリル−ブタジエン−スチレン共重合体（ＡＢＳ樹脂）などの合成樹脂が成形性に優れ着色も自由で錆びることがないので最も適している。その他に、アルミニウムやカラー鋼板を折り曲げ加工した成形品も使用できる。
【００１０】
上記構成のバックアップ材１の表面に添接される水切り材１１は、図３に示すように、躯体に取り付ける取付板１２の下部から斜め下方に延出する傾斜板１３（本実施例では、２段階の段下がりとしている。）と、その先端より下方に延出する水切りとしての前板１４と、該取付板１２から傾斜板１３と同一方向でそれと所定の間隔をあけて延出し、壁板２１を保持する水平板１５と、さらにその先端には防水の目的で可撓性の舌片１６を一体に有している。なお、これら形態を構成するものとしては、上記バックアップ材と同一のものを使用できる。
【００１１】
次に上記バックアップ材１及び水切り材１１を躯体Ａへ取り付ける構造を図２及び図３により説明する。
【００１２】
まず水切り材１１，１１の連接部にバックアップ材１を設置し、該バックアップ材１の取付板２にビスをねじ込み躯体Ａへ取り付ける。次に、水切り材１１をバックアップ材１の表面に裁置し、該水切り材１１の取付板２にビスをねじ込み躯体Ａへ取り付ける。このとき水切り材１１の前板１４の下端をバックアップ材１の挿嵌溝５に挿入する。
【００１３】
このようにバックアップ材１の挿嵌溝５に水切り材の前板１４の下端を挿入することで、水切り材１１の下端部が挟持され、浮き上がりや捲れ上がりを防止できる。さらに、バックアップ材１の側部に設けた防水材６が水切り材１１の裏面と確実に密着し、バックアップ材１の表面を伝って端部から裏面に水が侵入するのを防止できる。
【００１４】
なお、水切り材１４の上方は、壁板２１が該水切り材１４の水平板１５に裁置されて施工され、更に下方はタイル２２が施工されている。
【００１５】
次に、本発明の水切り材用バックアップ材１の第２の実施の形態を図４及び図５を参照して第１の実施の形態との相違部分を中心に説明すると、第２の実施の形態は躯体の出隅部に設置する場合であって、バックアップ材１が９０°に屈曲し、傾斜板３、前板４及び挿嵌溝５が屈曲の外角側に突出するように構成したものである。また、バックアップ材１の表面に取り付けられる水切り材１１は、傾斜板３及び前板４が外側に突出するように側端を４５°に切断し、該水切り材の切断面を突き合わせて設置する。
【００１６】
次に、本発明の水切り材用バックアップ材１の第３の実施の形態を図６及び図７を参照して第１の実施の形態との相違部分を中心に説明すると、第３の実施の形態は躯体の入隅部に設置する場合であって、バックアップ材１が９０°に屈曲し、傾斜板３、前板４及び挿嵌溝５が屈曲の内角側に突出するように構成したものである。また、バックアップ材１の表面に取り付けられる水切り材１１は、傾斜板３及び前板４が内側に突出するように側端を４５°に切断し、該水切り材の切断面を突き合わせて設置する。
【００１７】
なお、バックアップ材１の挿嵌溝５は、上記第１乃至第３の実施の形態に記載のように連続した溝に限定されるものではなく、両端のみ、中央部のみまた間隔を設けて複数設けてもよい。
【００１８】
【発明の効果】
以上説明したように、本発明の水切り材用バックアップ材によれば、水切り材の下端部をバックアップ材の挿嵌溝に挿入することで、水切り材の下側部が挟持され、浮き上がりや捲れ上がりを防止できるので、隣接する水切り材同士間に段差を生じることがなく、施工後も見栄えが良く、しかも躯体内に水が侵入するのを防止し、躯体の腐朽を防ぐことができる。
【図面の簡単な説明】
【図１】本発明の第１の実施の形態の水切り用バックアップ材の正面斜面図である。
【図２】本発明の第１の実施の形態の水切り用バックアップ材と水切り材を施工した状態の縦断面図である。
【図３】本発明の第１の実施の形態の水切り用バックアップ材と水切り材を施工した状態の正面斜面図である。
【図４】本発明の第２の実施の形態の水切り用バックアップ材の正面斜面図である。
【図５】本発明の第２の実施の形態の水切り用バックアップ材と水切り材を施工した状態の横断面図である。
【図６】本発明の第３の実施の形態の水切り用バックアップ材の正面斜面図である。
【図７】本発明の第３の実施の形態の水切り用バックアップ材と水切り材を施工した状態の横断面図である。
【符号の説明】
１  バックアップ材
２  取付板
３  傾斜板
４  前板
５  挿嵌溝
６  防水材
１１  水切り材
１２  取付板
１３  傾斜板
１４  前板
【図１】
0004341734.tif 000002
【図２】
0004341734.tif 000003
【図３】
0004341734.tif 000004
【図４】
0004341734.tif 000005
【図５】
0004341734.tif 000006
【図６】
0004341734.tif 000007
【図７】
0004341734.tif 000008